(57)【特許請求の範囲】
【請求項１】
記憶部を備えたコンピュータに、工事現場で発生する騒音の周囲への伝搬量の予測制御を実行させる騒音予測プログラムにおいて、
前記記憶部を、
工事の騒音源毎に騒音量を記憶する工事騒音源記憶手段と、
工事の対象となる構造物に対応づけて、その構造物が騒音源となる場合の構造物騒音源の種類と大きさとを記憶する構造物騒音源記憶手段として機能させて、
工事現場に応じた地図データを取得する地図データ取得ステップと、
その地図データ取得ステップにより取得された地図データに対して、工事の位置を指定する工事位置指定ステップと、
前記工事騒音源記憶手段に記憶される工事の騒音源の中から、工事内容に応じた騒音源を取得する工事騒音源取得ステップと、
前記工事位置指定ステップにより指定された工事位置において、前記工事騒音源取得ステップにより取得された工事騒音源から発生する騒音の周囲への伝搬量を計算して予測する工事騒音予測ステップと、
前記工事位置指定ステップにより指定された工事位置において、工事対象となる構造物が騒音源となる場合に、前記構造物騒音源記憶手段に記憶される構造物騒音源から発生する騒音の周囲への伝搬量を計算して予測する構造物騒音予測ステップと、
前記工事騒音予測ステップと前記構造物騒音予測ステップとにより予測された騒音量を合成する騒音量合成ステップと、
その騒音量合成ステップにより合成された騒音量を出力する出力ステップとを、コンピュータに実行させることを特徴とする騒音予測プログラム。
【請求項２】
前記構造物騒音源記憶手段には、工事の対象となる構造物が騒音源となる場合の種類として、線音源または面音源の種類が記憶されており、
前記構造物騒音予測ステップは、工事対象となる構造物の種類に応じて、その構造物騒音源から発生する騒音の周囲への伝搬量を計算して予測するものであることを特徴とする請求項１記載の騒音予測プログラム。
【請求項３】
前記構造物騒音予測ステップは、前記構造物騒音源記憶手段から取得した構造物騒音源の大きさが実際の構造物より大きい場合には、実際の構造物の大きさを前記構造物騒音源の大きさとして、その構造物騒音源から発生する騒音の周囲への伝搬量を計算して予測するものであることを特徴とする請求項１又は２に記載の騒音予測プログラム。
【請求項４】
前記地図データ取得ステップにより取得された地図データに対して、騒音の計測位置を指定する計測位置指定ステップを備え、
前記工事騒音予測ステップおよび前記構造物騒音予測ステップは、その計測位置指定ステップにより指定された計測位置における騒音量を計算して予測するものであることを特徴とする請求項１から３のいずれかに記載の騒音予測プログラム。
【発明の詳細な説明】
【技術分野】
【０００１】
本発明は、工事現場で発生する騒音の周囲への伝搬量の予測制御を、コンピュータに実行させる騒音予測プログラムに関するものである。
【背景技術】
【０００２】
従来より、工事による騒音が周辺環境へ与える影響を予測するため、工事騒音の周囲への伝搬状況を予測する騒音予測装置やそのプログラムが種々開発されている。例えば、特許文献１には、敷地や建物を含む地図データを読み込み、遮音壁についてデータ入力をし、騒音源となる機器を選択した上で、敷地や建物、遮音壁、騒音源に関するデータを用いて、音波の伝播、反射及び回折を予測計算し、音圧を色分けしたコンター図（等値線図）で出力する騒音の予測計算プログラムが開示されている。
【先行技術文献】
【特許文献】
【０００３】
【特許文献１】特開２００６−２６０３７０号公報
【発明の概要】
【発明が解決しようとする課題】
【０００４】
しかしながら、工事の対象が、鉄骨工事、橋梁工事、鉄塔工事、石油・ガス等の貯蔵用タンク設置工事、屋外広告工事、閘門・水門等の門扉設置工事などの鋼構造物を対象とする工事である場合、工事騒音のシミュレーション結果が実測値と大きく相違するという問題点があった。
【０００５】
本発明は、上記問題点を解決するためになされたものであり、構造物を対象にした工事においても、工事騒音のシミュレーションをより的確に行うことができる騒音予測プログラムを提供することを目的としている。
【課題を解決するための手段】
【０００６】
この目的を達成するために本発明の騒音予測プログラムは、記憶部を備えたコンピュータに、工事現場で発生する騒音の周囲への伝搬量の予測制御を実行させるものであり、前記記憶部を、工事の騒音源毎に騒音量を記憶する工事騒音源記憶手段と、工事の対象となる構造物に対応づけて、その構造物が騒音源となる場合の構造物騒音源の種類と大きさとを記憶する構造物騒音源記憶手段として機能させて、工事現場に応じた地図データを取得する地図データ取得ステップと、その地図データ取得ステップにより取得された地図データに対して、工事の位置を指定する工事位置指定ステップと、前記工事騒音源記憶手段に記憶される工事の騒音源の中から、工事内容に応じた騒音源を取得する工事騒音源取得ステップと、前記工事位置指定ステップにより指定された工事位置において、前記工事騒音源取得ステップにより取得された工事騒音源から発生する騒音の周囲への伝搬量を計算して予測する工事騒音予測ステップと、前記工事位置指定ステップにより指定された工事位置において、工事対象となる構造物が騒音源となる場合に、前記構造物騒音源記憶手段に記憶される構造物騒音源から発生する騒音の周囲への伝搬量を計算して予測する構造物騒音予測ステップと、前記工事騒音予測ステップと前記構造物騒音予測ステップとにより予測された騒音量を合成する騒音量合成ステップと、その騒音量合成ステップにより合成された騒音量を出力する出力ステップとを、コンピュータに実行させることを特徴としている。
【発明の効果】
【０００７】
請求項１記載の騒音予測プログラムによれば、地図データ取得ステップにより工事現場に応じた地図データが取得され、その地図データに対して、工事位置指定ステップにより工事の位置が指定される。そして、工事位置指定ステップにより指定された工事位置において、工事騒音源取得ステップにより取得された工事騒音源から発生する騒音の周囲への伝搬量が工事騒音予測ステップにより計算され予測される。また、工事位置指定ステップにより指定された工事位置において、工事対象（施工対象）となる構造物が騒音源となる場合に、構造物騒音源記憶手段に記憶される構造物騒音源から発生する騒音の周囲への伝搬量が構造物騒音予測ステップにより計算され予測される。工事騒音予測ステップと構造物騒音予測ステップとにより予測された騒音量は、騒音量合成ステップにより合成され、出力ステップによって、その合成された騒音量が出力される。
【０００８】
このように、本騒音予測プログラムによれば、工事騒音源から発生する騒音の周囲への伝搬量に加えて、工事対象となる構造物が騒音源になった場合の構造物騒音源から発生する騒音の周囲への伝搬量をも予測し、これらを合成した騒音量を工事の騒音として出力する。よって、構造物を対象にした工事においても、工事騒音のシミュレーションをより的確に行うことができるという効果がある。
【０００９】
請求項２記載の騒音予測プログラムによれば、請求項１が奏する効果に加え、次の効果を奏する。即ち、構造物騒音源記憶手段には、工事の対象となる構造物が騒音源となる場合の種類として、線音源または面音源の種類が記憶されており、構造物騒音予測ステップは、工事対象となる構造物の種類に応じて、その構造物騒音源から発生する騒音の周囲への伝搬量を計算して予測する。よって、構造物騒音源から発生する騒音の周囲への伝搬量を、より的確に予測できるという効果がある。
【００１０】
請求項３記載の騒音予測プログラムによれば、請求項１又は２が奏する効果に加え、次の効果を奏する。即ち、構造物騒音予測ステップは、構造物騒音源記憶手段から取得した構造物騒音源の大きさが実際の構造物より大きい場合には、実際の構造物の大きさを構造物騒音源の大きさとして、その構造物騒音源から発生する騒音の周囲への伝搬量を計算して予測する。よって、構造物騒音源から発生する騒音の周囲への伝搬量を、実際の構造物の大きさに合わせて計算できるので、該騒音の周囲への伝搬量を、より的確に予測できるという効果がある。
【００１１】
請求項４記載の騒音予測プログラムによれば、請求項１から３のいずれかが奏する効果に加え、次の効果を奏する。例えば、スマートフォンや処理能力の低い携帯型のコンピュータで、本騒音予測プログラムを実行する場合、工事現場の周囲の多数地点について騒音量の予測計算を行うと、予測計算に長時間を要して不都合なことが生じ得る。これに対し、請求項４の騒音予測プログラムによれば、工事騒音予測ステップおよび構造物騒音予測ステップは、計測位置指定ステップにより指定された計測位置における騒音量を計算して予測するので、騒音量の予測計算をピンポイントで行うことができる。よって、処理能力の低いコンピュータにおいても、騒音量の予測計算を短時間で完了できるという効果がある。
【図面の簡単な説明】
【００１２】
【図１】（ａ）は橋梁のＩ桁の側面図であり、（ｂ）は（ａ）に示すＩｂ−Ｉｂ断面線における橋梁のＩ桁の断面図であり、（ｃ）は橋梁の箱桁の断面図である。
【図２】本発明の一実施形態である騒音予測プログラムが実行される情報処理装置の電気的構成を示すブロック図である。
【図３】（ａ）は音源種類テーブルを模式的に表した図であり、（ｂ）は音源データを模式的に表した図であり、（ｃ）はＩ桁用音源サイズテーブルを模式的に表した図であり、（ｄ）は箱桁用音源サイズテーブルを模式的に表した図である。
【図４】（ａ）は音源情報テーブルを模式的に表した図であり、（ｂ）は予測地点テーブルを模式的に表した図である。
【図５】騒音予測メイン処理のフローチャートである。
【図６】音源情報入力処理のフローチャートである。
【図７】騒音レベル予測処理のフローチャートである。
【図８】ＬＣＤに表示される表示画面の一例を示すイメージ図であり、（ａ）は地図画像を表示する画面を示す図であり、（ｂ）は音源設定画面で「施工対象」を「地面」とした場合の画面を示す図であり、（ｃ）は音源設定画面で「施工対象」を「橋梁のＩ桁」とした場合の画面を示す図であり、（ｄ）は音源設定画面で「施工対象」を「橋梁の箱桁」とした場合の画面を示す図であり、（ｅ）は予測結果の騒音レベルの等値線図を表す画面を示す図である。
【発明を実施するための形態】
【００１３】
以下、本発明の好ましい実施形態について、添付図面を参照して説明する。本実施形態では、鋼構造物等について工事を行った場合の工事騒音のシミュレーションを行う騒音予測プログラム２３ｘについて説明する。
【００１４】
まず図１を参照して、橋梁の橋桁について説明する。図１（ａ）は橋梁のＩ桁１の側面図であり、図１（ｂ）は図１（ａ）に示すＩｂ−Ｉｂ断面線における橋梁のＩ桁１の断面図であり、図１（ｃ）は橋梁の箱桁２の断面図である。橋梁のＩ桁１は、橋軸方向（図１（ａ）の左右方向）へ延設されるウェブ３と、ウェブ３の上下に配設される上フランジ４及び下フランジ５とを備える。Ｉ桁１は、複数のＩ桁同士を後述の添接板６で接合することで延設される。Ｉ桁１の始点Ｓから終点Ｅまでの長さをＬとし、高さをＨとしている。
【００１５】
添接板６は、Ｉ桁同士を接合するための部材であり、Ｉ桁１の接合部におけるフランジの上下面およびウェブの側面に添接される。ボルト７は、Ｉ桁１のウェブ３、上フランジ４、下フランジ５と添接板６とを固定するためのボルトであり、ナットが締結されている。１つの添接板６に対して、複数のボルト７が取着される。通常、添接板６とボルト７とを固定するには、人力よりトルクが大きいインパクトレンチ等の工具が使用される。このボルト７の固定作業時に発生する騒音は、工具から発生する騒音と、工具からの騒音や振動がＩ桁１に伝搬し、Ｉ桁１自体から発生する騒音とがある。即ち、ボルト７の固定作業の作業箇所は１点であるが、発生する騒音は、工具が「点音源」となって発生する騒音と、Ｉ桁１が「線音源」又は「面音源」となって発生する騒音とがある。
【００１６】
図１（ｂ）はＩｂ−Ｉｂ断面線における橋梁のＩ桁１の断面図である。Ｉ桁１のウェブ３と、上フランジ４及び下フランジ５は、断面がＩ型に形成される。Ｉ桁１のウェブ３の厚さ（以下「板厚」と称す）をＤとし、上フランジ４の上面から下フランジ５の下面までの高さをＨとしている。
【００１７】
図１（ｃ）は、橋梁の箱桁２の断面図である。箱桁２は、前述のＩ桁１と同じく橋梁において橋脚の上に架設される橋桁である。箱桁２も添接板６により複数の箱桁同士を接合することで延設される。添接板６は工具によって複数のボルト７で固定される。箱桁２は、橋軸方向へ延設される一対の左ウェブ８と右ウェブ９との上下に、上フランジ１０及び下フランジ１１とが配設され、断面が中空箱状に形成される。左ウェブ８又は右ウェブ９の板厚をＤとし、上フランジ１０の上面から下フランジ１１の下面までの高さをＨとしている。また、左ウェブ８の板厚方向の中央から右ウェブ９の板厚方向の中央までの幅（以下「ウェブ間隔」と称す）をＷとし、箱桁２の長さをＬとしている。箱桁２は断面が中空箱状に形成されるため、箱桁２に伝搬する音や振動の特性は、断面がＩ型であるＩ桁１とは異なる。よって、後述する本実施形態の騒音予測プログラムにおいては、Ｉ桁１と箱桁２とを区別して騒音レベルの予測を行っている。
【００１８】
次に、工事現場で発生する騒音の周囲への伝搬量を予測する、本実施形態の騒音予測プログラム２３ｘについて説明する。騒音予測プログラム２３ｘでは、まず、読み込んだ地図画像上に、騒音源となる工具や建設機械等（以下「工事騒音源」と称す）を配置する。その工事騒音源の施工対象となる鋼構造物（例えば、Ｉ桁１、箱桁２等）に、工事騒音源からの騒音や振動が施工対象に伝搬することで、施工対象の鋼構造物自体が騒音源（以下「構造物騒音源」と称す）となる場合、その構造物騒音源を工事騒音源とは別の新たな騒音源として配置する。そして、設定された複数の予測地点毎に、全ての工事騒音源と構造物騒音源からの騒音レベルを算出する。算出された予測地点毎の騒音レベルに基づき、騒音レベルの等値線図（コンター図とも呼ばれる）を作成し、地図画像に重ねて表示する。
【００１９】
図２は、騒音予測プログラム２３ｘが実行される情報処理装置の電気的構成を示すブロック図である。本実施形態では、情報処理装置としてパーソナルコンピュータ（以下「ＰＣ」と称す）２０を例示する。ＰＣ２０は、ＣＰＵ２１、ＲＯＭ２２、フラッシュメモリ２３、ＲＡＭ２４を備え、これらがバスライン２５を介して入出力ポート２６にそれぞれ接続されている。また、入出力ポート２６には、ＬＣＤ２７、入力装置２８、外部入出力端子２９がそれぞれ接続されている。
【００２０】
ＣＰＵ２１は、バスライン２５により接続された各部を制御する演算装置である。ＲＯＭ２２は、ＣＰＵ２１により実行される、制御プログラムや固定値データ等を格納した書き換え不能な不揮発性メモリである。
【００２１】
フラッシュメモリ２３は、書き換え可能な不揮発性のメモリである。フラッシュメモリ２３には、騒音予測プログラム２３ｘと、音源種類テーブル２３ａと、Ｉ桁用音源サイズテーブル２３ｂと、箱桁用音源サイズテーブル２３ｃと、地図画像データ２３ｄとがそれぞれ設けられる。ＣＰＵ２１によって騒音予測プログラム２３ｘが実行されると、図５の騒音予測メイン処理が実行される。
【００２２】
音源種類テーブル２３ａは、騒音源毎に、その音源形状と音源データとが記憶されたテーブルである。図３（ａ）を参照して、音源種類テーブル２３ａについて説明する。図３（ａ）は音源種類テーブル２３ａを模式的に表した図である。音源種類テーブル２３ａは、音源種類データ２３ａ１と、音源形状データ２３ａ２と、音源データ２３ａ３とを有し、それぞれが対応して記憶される。音源種類データ２３ａ１は、音源の名称（文字列）が記憶される。本実施形態においては、「インパクトレンチ」、「低騒音工具」、「ブルドーザー」等、工具や建設機械の名称が記憶される。音源種類テーブル２３ａを参照して、後述の音源形状データ２３ａ２の値または音源データ２３ａ３の値を取得する場合は、所望の音源種類と、この音源種類データ２３ａ１の値とが一致した「Ｎｏ．」の音源形状データ２３ａ２または音源データ２３ａ３をそれぞれ取得する。
【００２３】
音源形状データ２３ａ２には、音源種類に応じた音源の形状が記憶される。本実施形態において、音源形状データ２３ａ２に記憶される音源の形状の値としては、音源を点として扱う「点音源」、音源を長さを持つ線として扱う「線音源」、音源を長さと高さとを持つ面として扱う「面音源」の３種類を有している。
【００２４】
音源データ２３ａ３には、音源種類に応じた、周波数帯毎の騒音レベルが記憶される。図３（ｂ）は音源データ２３ａ３を模式的に表した図である。音源データ２３ａ３は、周波数帯データ２３ａ３１と、騒音レベルデータ２３ａ３２とを有し、それぞれが対応付けられて記憶される。周波数帯データ２３ａ３１には周波数帯が記憶され、騒音レベルデータ２３ａ３２には、周波数帯における騒音レベルが記憶される。図３（ｂ）で例示すると、周波数帯データ２３ａ３１が「５０」における騒音レベルデータ２３ａ３２には、音源の周波数帯が５０Ｈｚの場合の騒音レベル「５０．３ｄＢ」が記憶される。また、周波数帯データ２３ａ３１が「６３」における騒音レベルデータ２３ａ３２には、音源の周波数帯が６３Ｈｚの場合の騒音レベル「６０．０ｄＢ」が記憶される。このように、騒音レベルデータ２３ａ３２には、周波数帯データ２３ａ３１に記憶される周波数帯に対応した、騒音レベルが記憶される。
【００２５】
図２に戻る。Ｉ桁用音源サイズテーブル２３ｂは、橋梁のＩ桁１が構造物騒音源となる場合の音源サイズが記憶されたテーブルであり、Ｉ桁１のウェブ３の板厚Ｄ毎にテーブルが設けられる。図３（ｃ）はＩ桁用音源サイズテーブル２３ｂを模式的に表した図である。Ｉ桁用音源サイズテーブル２３ｂは、橋桁高データ２３ｂ１と、音源サイズデータ２３ｂ２とを有し、それぞれが対応付けられて記憶される。橋桁高データ２３ｂ１は、Ｉ桁１の高さＨに対応する値である。音源サイズデータ２３ｂ２には、音源の長さと音源の高さとが記憶される。図３（ｃ）において、橋桁高データ２３ｂ１の値が「１．０」に対応する音源サイズデータ２３ｂ２は「６．０，０．０」である。これは音源の長さ（音源長さデータ）が「６．０」、音源の高さ（音源高データ）が「０．０」であることを表す。
【００２６】
なお、音源サイズデータ２３ｂ２には、その鋼構造物が工事対象（施工対象）とされた場合に発生する騒音を実測し、その実測値に基づいて、その鋼構造物がどのような音源サイズの構造物騒音源となっているのかを逆計算したものが、音源長さデータと音源高データとして記憶されている。
【００２７】
本実施形態では、音源サイズデータ２３ｂ２において、音源の長さが「０．０」より大きく且つ音源の高さが「０．０」のものは、音源の長さが有効で音源の高さが無い「線音源」として扱われる。一方、音源の長さと音源の高さとがともに「０．０」より大きい場合は、音源の長さと音源の高さとがともに有効な「面音源」として扱われる。
【００２８】
また、Ｉ桁１の音の伝搬は、板厚Ｄによって変化する。そのため、図３（ｃ）では板厚Ｄが６ｍｍの場合のみを例示したが、Ｉ桁用音源サイズテーブル２３ｂはＩ桁１のウェブ３の板厚Ｄ毎に複数用意されている。よって、Ｉ桁１の音源サイズデータを取得する場合は、板厚Ｄに応じたＩ桁用音源サイズテーブル２３ｂを取得し、Ｉ桁用音源サイズテーブル２３ｂにおいて、Ｉ桁１の高さＨと一致する橋桁高データ２３ｂ１に対応する、音源サイズデータ２３ｂ２の値を取得する。
【００２９】
図２に戻る。箱桁用音源サイズテーブル２３ｃは、橋梁の箱桁２が構造物騒音源となる場合の音源サイズが記憶されたテーブルであり、箱桁２の左ウェブ８又は右ウェブ９の板厚Ｄ毎にテーブルが設けられる。箱桁２は、断面が中空箱状であるため、音の伝搬特性がＩ桁１とは異なる。そのため、Ｉ桁用音源サイズテーブル２３ｂとは別の箱桁用音源サイズテーブル２３ｃを用いる。
【００３０】
図３（ｄ）は箱桁用音源サイズテーブル２３ｃを模式的に表した図である。箱桁用音源サイズテーブル２３ｃは、橋桁高データ２３ｃ１と、ウェブ間隔データ２３ｃ２と、音源サイズデータ２３ｃ３とを有し、それぞれが対応付けられて記憶されている。橋桁高データ２３ｃ１は、箱桁２の高さＨに対応する値であり、ウェブ間隔データ２３ｃ２は、ウェブ間隔Ｗに対応する値である。音源サイズデータ２３ｃ３には音源長さデータと音源高データとが記憶されている。音源サイズデータ２３ｃ２の記憶形態は、Ｉ桁用音源サイズテーブル２３ｂの音源サイズデータ２３ｂ２と同一であるため、その説明を省略する。
【００３１】
なお、音源サイズデータ２３ｃ２も、Ｉ桁用音源サイズテーブル２３ｂの音源サイズデータ２３ｂ２の場合と同様に、その鋼構造物が工事対象とされた場合に発生する騒音を実測し、その実測値に基づいてその鋼構造物がどのような音源サイズの構造物騒音源となっているのかを逆計算したものが、音源長さデータと音源高データとして記憶されている。
【００３２】
箱桁２の騒音の伝搬も、Ｉ桁１と同じく板厚Ｄによって変化する。そのため、図３（ｄ）では板厚Ｄが６ｍｍの場合のみを例示したが、箱桁用音源サイズテーブル２３ｃは板厚Ｄ毎に複数用意されている。よって、箱桁２の音源サイズデータを取得する場合は、板厚Ｄに応じた箱桁用音源サイズテーブル２３ｃを取得し、箱桁２の高さＨと橋桁高データ２３ｂ１とが一致し、かつ、箱桁２のウェブ間隔Ｗとウェブ間隔データ２３ｃ２が一致する音源サイズデータ２３ｃ３の値を取得する。
【００３３】
図２に戻る。地図画像データ２３ｄは、後述するＬＣＤ２７へ表示する、工事現場等の地図画像が記憶される。本実施形態においては、地図画像データ２３ｄから任意の場所の地図画像を読み出し、その地図画像上に騒音源と予測地点とを配置し、各予測地点毎における騒音レベルを算出する。なお、地図画像データ２３ｂには、外部入出力端子２９等を介して外部装置から入力した地図画像を記憶するようにしても良い。たとえば、インターネットを介して地図画像を取得し、これを地図画像データ２３ｄへ記憶するようにしても良い。
【００３４】
ＲＡＭ２４はＣＰＵ２１が騒音予測プログラム２３ｘ等のプログラム実行時に各種のワークデータやフラグ等を書き換え可能に記憶するためのメモリであり、音源情報テーブル２４ａと、予測地点テーブル２４ｂと、施工対象メモリ２４ｃと、橋桁長さメモリ２４ｄと、橋桁高メモリ２４ｅと、板厚メモリ２４ｆと、ウェブ間隔メモリ２４ｇとがそれぞれ設けられる。
【００３５】
音源情報テーブル２４ａは、地図画像上に配置された騒音源毎の、音源情報（音源種類、音源の形状、音源データ、音源サイズ、音源の位置）を記憶するテーブルである。本実施形態の騒音予測プログラム２３ｘは、後述する予測地点テーブル２４ｂに記憶された予測地点毎に、この音源情報テーブル２４ａに記憶された全ての音源情報から騒音レベルを算出し、それらを予測騒音レベルとして合成する。
【００３６】
図４（ａ）は音源情報テーブル２４ａを模式的に表した図である。音源情報テーブル２４ａは、音源種類メモリ２４ａ１と、音源形状メモリ２４ａ２と、音源メモリ２４ａ３と、音源長さメモリ２４ａ４と、音源高メモリ２４ａ５と、Ｘ座標メモリ２４ａ６と、Ｙ座標メモリ２４ａ７と、角度メモリ２４ａ８とを有し、それぞれが対応して記憶される。音源情報テーブル２４ａの要素数はｍ個（ただし、ｍ＞１）であり、電源投入時および図５の騒音予測メイン処理が実行された直後に、音源情報テーブル２４ａの各メモリの値は「（ＥＮＤ）」で初期化される。ただし、ｍ番目の要素の各メモリの値は常に「（ＥＮＤ）」とし、テーブルの終端であることを示す。図８（ａ）〜（ｄ）の音源設定画面４１でユーザによって音源情報が入力された場合に、音源情報テーブル２４ａの各メモリに値が記憶される。
【００３７】
音源種類メモリ２４ａ１は、後述する図８（ｂ）〜（ｄ）の音源種類メニュー４２で選択された、音源の名称（文字列）が記憶される。また、図８（ｃ），（ｄ）にて施工対象メニュー４３で「橋梁のＩ桁」または「橋梁の箱桁」が選択され、その構造物騒音源が工事騒音源とは別の音源として音源情報テーブル２４ａに追加される場合は、「橋梁のＩ桁」または「橋梁の箱桁」が記憶される。
【００３８】
音源形状メモリ２４ａ２は、騒音源の音源の形状、即ち、前述した「点音源」、「線音源」、「面音源」のいずれかが記憶される。図８（ｂ）〜（ｄ）の音源種類メニュー４２によって、音源種類メモリ２４ａ１の値が設定された後に、音源種類メモリ２４ａ１の値で音源種類テーブル２３ａを検索し、音源種類メモリ２４ａ１の値と一致する、音源種類データ２３ａ１に対応する音源形状データ２３ａ２の値が音源形状メモリ２４ａ２に記憶される。また、図８（ｃ），（ｄ）にて施工対象メニュー４３で「橋梁のＩ桁」または「橋梁の箱桁」が選択され、その構造物騒音源が工事騒音源とは別の音源として音源情報テーブル２４ａに追加される場合は、後述する音源長さメモリ２４ａ４及び音源高メモリ２４ａ５の値に応じた音源形状が記憶される。
【００３９】
音源メモリ２４ａ３には、騒音源の周波数帯毎の騒音レベルが記憶される。図８（ｂ）〜（ｄ）の音源種類メニュー４２によって、音源種類メモリ２４ａ１の値が設定された後に、音源種類メモリ２４ａ１の値で音源種類テーブル２３ａを検索し、音源種類メモリ２４ａ１の値と一致する、音源種類データ２３ａ１に対応する音源データ２３ａ３の値が音源メモリ２４ａ３に記憶される。また、図８（ｃ），（ｄ）にて施工対象メニュー４３で「橋梁のＩ桁」または「橋梁の箱桁」が選択され、その構造物騒音源が工事騒音源とは別の音源として音源情報テーブル２４ａに追加される場合も、図８（ｂ）〜（ｄ）の音源種類メニュー４２によって設定された音源種類と同一の音源データが音源メモリ２４ａ３に記憶される。
【００４０】
音源長さメモリ２４ａ４は、騒音源の長さを記憶するメモリである。後述するが、音源長さメモリ２４ａ４には、Ｉ桁１又は箱桁２の長さＬ或いは、Ｉ桁用音源サイズテーブル２３ｂ又は箱桁用音源サイズテーブル２３ｃから取得した音源の長さが記憶される。
【００４１】
音源高メモリ２４ａ５は、騒音源の高さを記憶するメモリである。後述するが、音源高メモリ２４ａ５には、Ｉ桁１又は箱桁２の高さＨ或いは、Ｉ桁用音源サイズテーブル２３ｂ又は箱桁用音源サイズテーブル２３ｃから取得した音源の高さが記憶される。
【００４２】
Ｘ座標メモリ２４ａ６、Ｙ座標メモリ２４ａ７は、騒音源のＸ座標、Ｙ座標を記憶するメモリであり、座標系は、図８の表示画面４０の左下を原点（０，０）としたものである。図８（ａ）において、ユーザが設定した騒音源の始点ＳのＸ座標とＹ座標とが、それぞれＸ座標メモリ２４ａ６とＹ座標メモリ２４ａ７とに記憶される。
【００４３】
角度メモリ２４ａ８は、騒音源、特に線音源または面音源の角度を記憶するメモリである。図８（ａ）において、ユーザが設定した騒音源の始点Ｓと終点Ｅとを結ぶ直線と、Ｘ軸との角度θが記憶される。
【００４４】
本実施形態において、図４（ａ）に示す通り、音源情報テーブル２４ａに記憶される要素数はＮｏ．１〜Ｎｏ．ｍまでのｍ個（終端を含むため、実質的にはｍ−１個）としたが、必ずしもこれに限らず、騒音源が配置される数によって、１００個であっても、１０００個であってもよい。
【００４５】
図２に戻る。予測地点テーブル２４ｂは、地図画像上に配置された予測地点毎に、その座標と算出された騒音レベルとを記憶するテーブルである
図４（ｂ）は予測地点テーブル２４ｂを模式的に表した図である。予測地点テーブル２４ｂは、Ｘ座標メモリ２４ｂ１と、Ｙ座標メモリ２４ｂ２と、予測騒音レベルメモリ２４ｂ３とを有し、それぞれが対応して記憶される。電源投入時および図５の騒音予測メイン処理が実行された直後に、予測地点テーブル２４ｂの各メモリの値は「（ＥＮＤ）」で初期化される。予測地点テーブル２４ｂの要素数はｎ個であり、電源投入時および図５の騒音予測メイン処理が実行された直後に、予測地点テーブル２４ｂの各メモリの値は「（ＥＮＤ）」で初期化される。ただし、ｎ番目（ただし、ｎ＞１）の要素の各メモリの値は常に「（ＥＮＤ）」とし、テーブルの終端であることを示す。Ｘ座標メモリ２４ｂ１、Ｙ座標メモリ２４ｂ２は、予測地点を記憶するメモリである。座標系は、図８の表示画面４０の左下を原点（０，０）としたものである。本実施形態においては、予測地点はＸ座標方向、Ｙ座標方向ともに「５０．０」ずつ等間隔に設定される。
【００４６】
予測騒音レベルメモリ２４ｂ３は、予測地点毎において算出された騒音レベルを記憶する。本実施形態においては、予測地点毎に、音源情報テーブル２４ａに記憶された全ての騒音源に対して、全ての周波数帯毎に騒音レベルの減衰計算を行い、その算出結果を合成し、予測騒音レベルメモリ２４ｂ３に記憶する。
【００４７】
本実施形態において、予測地点テーブル２４ｂに記憶される要素数はＮｏ．１〜Ｎｏ．ｎまでのｎ個（終端を含むため、実質的にはｎ−１個）としたが、必ずしもこれに限らず、騒音レベルの予測精度に応じて予測地点テーブル２４ｂの要素数を変更してもよい。また、予測地点はＸ座標方向、Ｙ座標方向ともに「５０．０」ずつ等間隔に設定されるとしたが、必ずしもこれに限らず、必要とされる予測精度に応じて、予測地点間の間隔を大きくしてもよいし、小さくしてもよい。また、予測地点をユーザにより任意に設定できるようにしてもよい。
【００４８】
図２に戻る。施工対象メモリ２４ｃは、ユーザにより設定された、工事の施工対象を記憶するメモリである。本実施形態において施工対象の値として「地面」、「橋梁のＩ桁」、「橋梁の箱桁」の３種類が用意されている。電源投入時および図５の騒音予測メイン処理が実行された直後に、施工対象メモリ２４ｃの値は「地面」で初期化され、図８（ｂ）〜（ｄ）の施工対象メニュー４３でユーザにより選択された施工対象の値が、施工対象メモリ２４ｃに記憶される。
【００４９】
橋桁長さメモリ２４ｄは、Ｉ桁１又は箱桁２の長さＬ（図１（ａ）参照）を記憶するメモリである。電源投入時および図５の騒音予測メイン処理が実行された直後に、橋桁長さメモリ２４ｄの値は「０．０」で初期化され、図８（ａ）において、ユーザにより設定された始点Ｓ〜終点Ｅまでの距離が設定される。この始点Ｓ〜終点Ｅまでの距離は、施工対象となるＩ桁１又は箱桁２の実際の長さＬである。
【００５０】
橋桁高メモリ２４ｅは、Ｉ桁１又は箱桁２の高さＨ（図１参照）を記憶するメモリである。電源投入時および図５の騒音予測メイン処理が実行された直後に、橋桁高メモリ２４ｅの値は「０．０」で初期化され、図８（ｃ）〜（ｄ）の高さメニュー４４でユーザにより選択されたＩ桁１又は箱桁２の実際の高さＨが橋桁高メモリ２４ｅに記憶される。
【００５１】
板厚メモリ２４ｆは、ユーザにより設定された、Ｉ桁１又は箱桁２の板厚Ｄ（図１（ｂ），（ｃ）参照）を記憶するメモリである。電源投入時および図５の騒音予測メイン処理が実行された直後に、板厚メモリ２４ｆの値は「０．０」で初期化され、図８（ｃ）〜（ｄ）の板厚メニュー４５でユーザにより選択されたＩ桁１又は箱桁２の実際の板厚Ｄが橋桁高メモリ２４ｅに記憶される。
【００５２】
ウェブ間隔メモリ２４ｇは、箱桁２のウェブ間隔Ｗ（図１（ｃ）参照）を記憶するメモリである。電源投入時および図５の騒音予測メイン処理が実行された直後に、ウェブ間隔メモリ２４ｇの値は「０．０」で初期化され、図８（ｃ）〜（ｄ）のウェブ間隔メニュー４６でユーザにより選択されたＩ桁１又は箱桁２の実際のウェブ間隔Ｗがウェブ間隔メモリ２４ｇに記憶される。
【００５３】
ＬＣＤ２７は、図８（ａ）〜（ｄ）における表示画面４０を表示するためのディスプレイである。入力装置２８は、ユーザからの指示や各種情報をＰＣ２０に入力するためのキーボードや、マウスで構成され、表示画面４０において騒音源の位置指定や、選択肢等を入力する。
【００５４】
外部入出力端子２９は、ＰＣ２０と他のコンピュータとをインターネット回線等を介して接続し、データの送受信を行うためのインターフェイスである。ＰＣ２０は、他のコンピュータで作成された音源種類テーブルや音源サイズテーブル、地図画像を外部入出力端子２９を経由して受信し、それぞれ音源種類テーブル２３ａ、Ｉ桁用音源サイズテーブル２３ｂ、箱桁用音源サイズテーブル２３ｃ、地図画像データ２３ｄに記憶する。これにより、音源種類が増加した場合や、Ｉ桁１、箱桁２の材質や構造等の変更により、Ｉ桁１、箱桁２の音源サイズが変更された場合、また、新たな工事現場に対して騒音予測をする場合において、外部入出力端子２９経由で、音源種類テーブル２３ａ、Ｉ桁用音源サイズテーブル２３ｂ、箱桁用音源サイズテーブル２３ｃ、地図画像データ２３ｄを書き換えることにより、これらの変更に対して柔軟に対応することができる。
【００５５】
次に、図５から図８を参照して、ＰＣ２０のＣＰＵ２１で実行される騒音予測プログラム２３ｘについて説明する。まず図８を参照して、ＬＣＤ２７に表示される、表示画面４０について説明する。図８（ａ）は地図画像を表示する画面を示す図であり、図８（ｂ）は音源設定画面４１で「施工対象」を「地面」とした場合の画面を示す図であり、図８（ｃ）は音源設定画面４１で「施工対象」を「橋梁のＩ桁」とした場合の画面を示す図であり、図８（ｄ）は音源設定画面４１で施工対象を「橋梁の箱桁」とした場合の画面を示す図であり、図８（ｅ）は予測結果の騒音レベルの等値線図を表す画面を示す図である。
【００５６】
図８（ａ）は地図画像を表示する画面を示す図であり、図５の騒音予測メイン処理における、Ｓ１及びＳ２の処理が実行された後、即ち、工事現場等の地図画像を地図画像データ２３ｄから取得し、取得された地図画像を、ユーザが所望するエリアと一致させるように地図画像の縮尺設定した後に表示される。表示画面４０において、Ｘ軸方向は表示画面４０における左右方向であり、Ｙ軸方向は上下方向である。また、表示画面４０の左下が原点（０，０）である。
【００５７】
表示画面４０に表示される地図画像に対し、ユーザは、入力装置２８を用いて騒音源の設定を行う。ブルドーザーやショベルカーといった、点音源を設定する場合は、地図画像上の点を入力装置２８で選択することで、図８（ｂ）の音源設定画面４１が地図画像上に表示される。この場合の、始点Ｓと終点Ｅとは、同一の座標となる。
【００５８】
一方、Ｉ桁１及び箱桁２等、長さを持つ音源や構造物の場合は、その始点Ｓと、終点Ｅとの間を入力装置２８で選択することで、図８（ｃ），（ｄ）の音源設定画面４１が地図画像上に表示される。この始点Ｓと、角度θ、長さＬはそれぞれ、音源情報テーブル２４ａのＸ座標メモリ２４ａ６と、Ｙ座標メモリ２４ａ７と、角度メモリ２４ａ８及び橋桁長メモリ２４ｄに記憶される値である。
【００５９】
また、既に配置した音源を入力装置２８で選択することで、図８（ｂ）〜（ｄ）の音源設定画面４１が表示され、その音源情報の変更や削除をすることができる。
【００６０】
即ち、図８（ａ）の地図画像が表示される表示画面４０において、入力装置２８で選択された場合に、図８（ｂ）〜（ｄ）の音源設定画面４１へ表示移行する。音源設定画面４１は、音源情報を設定するための画面であり、「施工対象」によって表示される音源の設定項目が変化する。図８（ｂ）は、「施工対象」を「地面」とした場合の音源設定画面４１である。図８（ｂ）には、音源種類メニュー４２と施工対象メニュー４３と、ＯＫキー５０と、削除キー５１と、入力完了キー５２とがそれぞれ表示される。
【００６１】
音源種類メニュー４２は音源種類を選択するメニューであり、音源種類メニュー４２を入力装置２８で選択することで、図３（ａ）の音源種類テーブル２３ａの音源種類データ２３ａ１に記憶された、音源の名称が選択肢として表示される。
【００６２】
施工対象メニュー４３は、工事における施工対象を選択するメニューであり、音源種類メニュー４２が入力装置２８で選択されることで「地面」と「橋梁のＩ桁」と「橋梁の箱桁」とが選択肢として表示される。これにより、ユーザによって、施工対象が選択される。本実施形態においては、施工対象が「地面」の場合は、音源種類の設定のみで騒音予測が可能であるので、その他の後述する高さメニュー４４等の音源の設定項目は表示されない。
【００６３】
ＯＫキー５０は、音源設定画面４１で設定された音源情報を確定し、地図画像が表示される表示画面４０（図８（ａ））へ表示移行するキーである。このＯＫキー５０が入力装置２８で選択されると、図６の音源情報入力処理のＳ１２及びＳ１３の処理が実行され、音源種類テーブル２３ａに音源情報が追加される。また、既に音源種類テーブル２３ａに登録されている音源情報である場合は、その音源情報を音源設定画面４１で設定された音源情報へ更新する。
【００６４】
削除キー５１は、音源設定画面４１で表示されている音源情報を削除し、地図画像が表示される表示画面４０（図８（ａ））へ表示移行するキーである。この削除キー５１が入力装置２８で選択されると、図３（ａ）の音源種類テーブル２３ａのうち、音源設定画面４１で表示されている音源情報に該当する音源情報を削除する。
【００６５】
入力完了キー５２は、全ての音源情報の入力を完了し、図８（ｅ）の予測結果の騒音レベルの等値線図を表す画面へ表示移行するためのキーである。入力完了キー５２が入力装置２８で選択されると、図６の音源情報入力処理のＳ３３の判断処理で「Ｙｅｓ」となり、図５におけるＳ４（即ち、図７の騒音レベル予測処理）及びＳ５の処理が実行される。その結果、図８（ｅ）の予測結果の騒音レベルの等値線図を表す画面が表示される。
【００６６】
図８（ｃ）は音源設定画面４１で「施工対象」を「橋梁のＩ桁」とした場合の画面を示す図である。音源種類メニュー４２と、施工対象メニュー４３と、ＯＫキー５０と、削除キー５１と、入力完了キー５２とに加え、高さメニュー４４と、板厚メニュー４５とが表示される。
【００６７】
高さメニュー４４は、Ｉ桁１の高さＨを選択するメニューであり、高さメニュー４４が入力装置２８で選択されることで、図３（ｃ）のＩ桁用音源サイズテーブル２３ｂ１の橋桁高データ２３ｂ１に記憶された高さＨが選択肢として表示される。
【００６８】
板厚メニュー４５は、Ｉ桁１の板厚Ｄを選択するメニューであり、板厚メニュー４５が入力装置２８で選択されることで、図３（ｃ）のＩ桁用音源サイズテーブル２３ｂを記憶する板厚Ｄの値が表示される。
【００６９】
図８（ｄ）は音源設定画面４１で「施工対象」を「橋梁の箱桁」とした場合の画面を示す図である。音源種類メニュー４２と、施工対象メニュー４３と、ＯＫキー５０と、削除キー５１と、入力完了キー５２と、高さメニュー４４と、板厚メニュー４５とに加え、ウェブ間隔メニュー４６が表示される。
【００７０】
ウェブ間隔メニュー４６は、箱桁２のウェブ間隔Ｗを選択するメニューであり、ウェブ間隔メニュー４６が入力装置２８で選択されることで、図３（ｄ）の箱桁用音源サイズテーブル２３ｃのウェブ間隔データ２３ｃ２に記憶される値が表示される。
【００７１】
高さメニュー４４には、図３（ｄ）の箱桁用音源サイズテーブル２３ｃの橋桁高データ２３ｃ１に記憶された値が選択肢として表示され、板厚メニュー４５には、箱桁用音源サイズテーブル２３ｃを記憶する板厚Ｄの値が表示される。
【００７２】
施工対象の鋼構造物の形状（即ち、Ｉ桁や箱桁等）やサイズ（即ち、長さや高さ等）が近似している場合は、構造物騒音源の長さと高さも近似する。このことから、本実施形態の騒音予測プログラム２３ｘにおいて、図８（ｃ），（ｄ）の高さメニュー４４等の選択項目では、実際の鋼構造物のサイズではなく、ユーザに近似したサイズを選択させることで、利便性の向上を図っている。また、高さメニュー４４、板厚メニュー４５、ウェブ間隔メニュー４６で選択された値に応じて、Ｉ桁用音源サイズテーブル２３ｂ、箱桁用音源サイズテーブル２３ｃから音源サイズデータを取得し、取得した音源サイズデータから騒音レベルを予測することで、プログラムの簡略化を図っている。
【００７３】
図８（ｅ）は騒音の予測結果を表す画面を示す図である。騒音の予測結果を表す画面には、地図画像上に、等値線４７を重ねて表示する。等値線４７は、騒音レベル予測処理（Ｓ４及び図７参照）で予測地点毎に算出された予測騒音レベルにおいて、予測騒音レベルの値が等しい予測地点同士を線で結んだ線である。図８（ｅ）における２点鎖線の複数の楕円が等値線４７である。騒音レベルの等値線図を作成し、地図画像上にその等値線図を重ねることよって、騒音レベルの分布が一目で把握でき、騒音対策が必要な場所を素早く特定できる。
【００７４】
次に図５を参照して、ＰＣ２０のＣＰＵ２１で実行される騒音予測プログラム２３ｘについて説明する。図５は、騒音予測プログラム２３ｘの騒音予測メイン処理のフローチャートである。騒音予測メイン処理によって、地図画像を表示し、その地図画像上に騒音源を配置して騒音予測を行い、その予測結果として得られた騒音レベルの等値線図を地図画像に重ねて表示する。騒音予測メイン処理は、ＰＣ２０の電源投入後に、ユーザの実行指示があった場合に実行される。
【００７５】
まず、地図画像を取得し（Ｓ１）、取得した地図画像の縮尺設定を行う（Ｓ２）。具体的に、工事現場等の地図画像を地図画像データ２３ｄから取得し、取得された地図画像を、ユーザが所望するエリアと一致させるように地図画像の縮尺設定を行う。その後に、音源情報入力処理を実行する（Ｓ３）。
【００７６】
図６は、音源情報入力処理（Ｓ３）のフローチャートである。音源情報入力処理は、図８の音源設定画面４１等でユーザから入力された音源情報を、音源種類や施工対象に応じて処理を行った上で、音源情報テーブル２４ａに記憶させる処理である。まず、音源情報テーブル２４ａの記憶位置を先頭に移動する（Ｓ１０）。音源情報入力処理では、音源情報テーブル２４ａに音源情報がユーザに入力された順に音源情報を記憶していくため、音源情報入力処理の実行開始直後に音源情報テーブル２４ａの記憶位置を先頭（即ち、図４（ａ）における、音源情報テーブル２４ａの「Ｎｏ．１」の位置）に移動する。
【００７７】
Ｓ１０の処理の後、表示画面４０にて音源情報を入力する（Ｓ１１）。具体的には、ユーザはまず、図８（ａ）の表示画面４０において、騒音源を配置する地点を設定する。橋梁のＩ桁１および箱桁２の場合は、始点Ｓと終点Ｅとを設定する。その後、図８（ｂ）〜（ｄ）において、音源、施工対象、高さ、板厚、ウェブ間隔をそれぞれ音源種類メニュー４２、施工対象メニュー４３、高さメニュー４４、板厚メニュー４５、ウェブ間隔メニュー４６から選択する。
【００７８】
Ｓ１１の処理の後、入力された音源情報を取得し、音源情報テーブル２４ａへ記憶する（Ｓ１２）。具体的には、Ｓ１０でユーザにより指定された、始点ＳのＸ座標およびＹ座標を、音源情報テーブル２４ａのＸ座標メモリ２４ａ６及びＹ座標メモリ２４ａ７に記憶する。始点Ｓと終点Ｅとの距離（即ち、Ｉ桁１または箱桁２の長さＬ）を橋桁長さメモリ２４ｄに記憶する。音源として例えば、ブルドーザーといった、点音源として扱う音源の場合、即ち、始点Ｓと終点Ｅとが略同一の座標である場合は、橋桁長さメモリ２４ｄに「０」を記憶する。また、始点Ｓと終点Ｅとを結ぶ直線と、Ｘ軸との角度θを角度メモリ２４ａ８に記憶する。
【００７９】
図８（ｂ）〜（ｄ）における音源種類メニュー４２、施工対象メニュー４３、高さメニュー４４、板厚メニュー４５、ウェブ間隔メニュー４６で設定された値をそれぞれ、音源情報テーブル２４ａの音源種類メモリ２４ａ１、施工対象メモリ２４ｃ、橋桁高メモリ２４ｅ、板厚メモリ２４ｆ、ウェブ間隔メモリ２４ｇに記憶する。
【００８０】
Ｓ１２の処理の後、音源情報テーブル２４ａの音源種類メモリ２４ａ１の値で音源種類テーブル２３ａを検索し、該当する音源形状データ２３ａ２と音源データ２３ａ３とをそれぞれ、音源情報テーブル２４ａの音源形状メモリ２４ａ２と音源メモリ２４ａ３とに記憶する（Ｓ１３）。
【００８１】
Ｓ１３の処理の後、施工対象メモリ２４ｃの値を確認する（Ｓ１４）。施工対象メモリ２４ｃの値が「橋梁のＩ桁」又は「橋梁の箱桁」の場合は（Ｓ１４：「橋梁のＩ桁」又は「橋梁の箱桁」）、音源情報テーブル２４ａの記憶位置を１つ進める（Ｓ１５）。具体的には、図４（ａ）の音源情報テーブル２４ａにおいて、現在の記憶位置に対応する「Ｎｏ．」から１つ進めた位置（例えば、「Ｎｏ．１」から「Ｎｏ．２」）を、次の記憶位置とする。施工対象が「橋梁のＩ桁」又は「橋梁の箱桁」の場合は、音源として設定したインパクトレンチ等の工事騒音源から発生する騒音に加えて、工事騒音源からの騒音や振動がＩ桁１又は箱桁２に伝搬することにより、Ｉ桁１又は箱桁２自体が構造物騒音源となり騒音が発生する。そこで、本実施形態においては、構造物騒音源を工事騒音源とは別の音源として配置し、騒音レベルの予測を行う。よって、音源情報テーブル２４ａの記憶位置を１つ進めて、構造物騒音源を、新たな音源として音源情報テーブル２４ａへ記憶する。これにより、工事騒音源とは音源の特性（特に、音源形状）が異なる構造物騒音源を、工事騒音源とは別に設定できるため、鋼構造物を対象にした工事においても、工事騒音のシミュレーションをより的確に行うことができる。
【００８２】
Ｓ１５の処理の後、入力された音源情報を取得し、音源情報テーブル２４ａへ記憶し（Ｓ１６）、音源情報テーブル２４ａの音源種類メモリ２４ａ１の値で音源種類テーブル２３ａを検索し、該当する音源形状データ２３ａ２と音源データ２３ａ３とをそれぞれ、音源情報テーブル２４ａの音源形状メモリ２４ａ２と音源メモリ２４ａ３とに記憶する（Ｓ１７）。Ｓ１５，Ｓ１６の処理内容はＳ１２，Ｓ１３と同一のため、詳細な説明は省略する。本実施形態においては、構造物騒音源はその元となる工事騒音源と位置、音源の長さ、音源の高さ、音源データにおいて共通しているので、Ｓ１１の処理で既に入力された音源情報を再度取得し、取得した音源情報を音源情報テーブル２４ａ、施工対象メモリ２４ｃ、橋桁長さメモリ２４ｄ、橋桁高メモリ２４ｅ、板厚メモリ２４ｆ、ウェブ間隔メモリ２４ｇに記憶する。後述するＳ１８〜Ｓ３１の処理で、音源情報テーブル２４ａの値を、構造物騒音源に応じた音源情報に変更する。
【００８３】
Ｓ１７の処理の後、施工対象メモリ２４ｃの値を確認する（Ｓ１８）。施工対象メモリ２４ｃの値が「橋梁のＩ桁」の場合は（Ｓ１８：「橋梁のＩ桁」）、板厚メモリ２４ｆの値と橋桁高メモリ２４ｅの値とでＩ桁用音源サイズテーブル２３ｂを検索し、該当する音源サイズデータ２３ｂ２の音源長さデータと音源高データとを、音源情報テーブル２４ａの音源長さメモリ２４ａ４と音源高メモリ２４ａ５とにそれぞれ記憶する（Ｓ１９）。具体的には、板厚Ｄ毎に記憶されている、Ｉ桁用音源サイズテーブル２３ｂのうち、板厚メモリ２４ｆの値に該当するＩ桁用音源サイズテーブル２３ｂを取得する。そのＩ桁用音源サイズテーブル２３ｂを、橋桁高メモリ２４ｅの値とで検索し、該当する音源サイズデータ２３ｂ２を取得し、その音源サイズデータ２３ｂ２の音源長さデータと音源高データとをそれぞれ音源情報テーブル２４ａの音源長さメモリ２４ａ４と音源高メモリ２４ａ５とにそれぞれ記憶する。
【００８４】
前述した通り、Ｉ桁用音源サイズテーブル２３ｂの音源サイズデータ２３ｂ２には、例えば、「６．０，０．０」という値が記憶されている。このうち、「６．０」が音源長さデータであり、「０．０」が音源高データである。このようにして、板厚および橋桁の高さ毎に記憶された音源サイズデータを取得し、取得した音源サイズデータを騒音予測に用いる。Ｓ１９の処理の後、音源情報テーブル２４ａの音源種類メモリ２４ａ１の値に「橋梁のＩ桁」という音源の名称（文字列）を記憶する（Ｓ２０）。
【００８５】
一方Ｓ１８の判断処理において、施工対象メモリ２４ｃの値が「橋梁の箱桁」の場合は（Ｓ１８：「橋梁の箱桁」）、板厚メモリ２４ｆの値と橋桁高メモリ２４ｅの値とウェブ間隔メモリ２４ｇの値とで箱桁用音源サイズテーブル２３ｃ検索し、該当する音源サイズテーブル２３ｃの音源サイズデータ２３ｃ３の音源長さデータと音源高データとを、音源情報テーブル２４ａの音源長さメモリ２４ａ４と音源高メモリ２４ａ５とにそれぞれ記憶する（Ｓ２１）。具体的には、板厚Ｄ毎に記憶されている、箱桁用音源サイズテーブル２３ｃのうち、板厚メモリ２４ｆの値に該当する箱桁用音源サイズテーブル２３ｃを取得する。その箱桁用音源サイズテーブル２３ｃを、橋桁高メモリ２４ｅの値とウェブ間隔メモリ２４ｇの値とで検索し、該当する音源サイズデータ２３ｃ３を取得し、その音源長さデータと音源高データとをそれぞれ音源情報テーブル２４ａの音源長さメモリ２４ａ４と音源高メモリ２４ａ５とにそれぞれ記憶する。Ｓ２１の処理の後、音源情報テーブル２４ａの音源種類メモリ２４ａ１の値に「橋梁の箱桁」という音源の名称（文字列）を記憶する（Ｓ２２）。
【００８６】
Ｓ２０，Ｓ２２の処理の後、音源情報テーブル２４ａの音源長さメモリ２４ａ４の値が、橋桁長さメモリ２４ｄの値より大きいかを確認する（Ｓ２３）。音源長さメモリ２４ａ４の値が橋桁長さメモリ２４ｄの値より大きい場合（Ｓ２３：Ｙｅｓ）、橋桁長さメモリ２４ｄの値を音源長さメモリ２４ａ４に記憶する（Ｓ２４）。一方、音源長さメモリ２４ａ４の値が橋桁長さメモリ２４ｄの値以下の場合（Ｓ２３：Ｎｏ）、Ｓ２４の処理はスキップされる。
【００８７】
Ｓ２３，Ｓ２４の処理の後、音源情報テーブル２４ａの音源高メモリ２４ａ５の値が、橋桁高メモリ２４ｅの値より大きいかを確認する（Ｓ２５）。音源高メモリ２４ａ５の値が橋桁高メモリ２４ｅの値より大きい場合（Ｓ２５：Ｙｅｓ）、橋桁高メモリ２４ｅの値を音源高メモリ２４ａ５に記憶する（Ｓ２６）。一方、音源高メモリ２４ａ５の値が橋桁高メモリ２４ｅの値以下の場合（Ｓ２５：Ｎｏ）、Ｓ２６の処理はスキップされる。
【００８８】
前述の通り、Ｉ桁用音源サイズテーブル２３ｂ、箱桁用音源サイズテーブル２３ｃには実測値に基づいた音源長さデータと音源高データとが記憶されるため、地図画像上に設定される、Ｉ桁１、箱桁２の長さＬ及び高さＨよりも大きな音源長さデータと音源高データとが記憶される場合がある。そこで、Ｉ桁用音源サイズテーブル２３ｂ、箱桁用音源サイズテーブル２３ｃから取得された音源情報テーブル２４ａの音源長さメモリ２４ａ４、音源高メモリ２４ａ５の値が、表示画面４０で設定された橋桁長さメモリ２４ｄ、橋桁高メモリ２４ｅの値より大きい場合は、それぞれ橋桁長さメモリ２４ｄ、橋桁高メモリ２４ｅの値に縮小する。これにより、Ｉ桁１、箱桁２の長さＬ及び高さＨより、サイズの大きな構造物騒音源が設定されることがなくなり、構造物騒音源のサイズに基づいて騒音レベルの算出が行われるので、的確な騒音レベルの算出が可能となる。
【００８９】
Ｓ２５，Ｓ２６の処理の後、音源情報テーブル２４ａの音源長さメモリ２４ａ４の値が０より大、かつ、音源高メモリ２４ａ５の値が０より大であるかを確認する（Ｓ２７）。音源長さメモリ２４ａ４の値が０より大、かつ、音源高メモリ２４ａ５の値が０より大である場合（Ｓ２７：Ｙｅｓ）、音源情報テーブル２４ａの音源形状メモリ２４ａ２に「面音源」を記憶する（Ｓ２８）。本実施形態においては、音源の長さと音源の高さとが０より大である、即ち騒音源の長さと騒音源の高さとがともに有効であるため「面音源」として扱う。
【００９０】
音源情報テーブル２４ａの音源長さメモリ２４ａ４の値が０より大、かつ、音源高メモリ２４ａ５の値が０より大でない場合（Ｓ２７：Ｎｏ）、音源長さメモリ２４ａ４の値が０より大であるかを確認する（Ｓ２９）。音源長さメモリ２４ａ４の値が０より大である場合（Ｓ２９：Ｙｅｓ）、音源情報テーブル２４ａの音源形状メモリ２４ａ２に「線音源」を記憶する（Ｓ３０）。音源の高さが０である一方、音源の長さが０より大である、即ち、騒音源の長さが有効であるため「線音源」として扱う。
【００９１】
音源長さメモリ２４ａ４の値が０ある場合（Ｓ２９：Ｎｏ）、音源情報テーブル２４ａの音源形状メモリ２４ａ２に「点音源」を記憶する（Ｓ３１）。音源の高さと音源の長さとが０である、即ち、音源の高さと音源の長さが有効ではないため、かかる場合は「点音源」として扱う。
【００９２】
Ｓ１４の判断処理において、施工対象メモリ２４ｃの値が「橋梁のＩ桁」、「橋梁の箱桁」以外の場合は（Ｓ１４：「その他」）、施工対象メモリ２４ｃの値に応じた、音源情報を設定する（Ｓ３２）。本実施形態においては、「橋梁のＩ桁」、「橋梁の箱桁」以外の施工対象としては、「地面」が定義されている。施工対象が「地面」の場合は、前述した構造物騒音源を音源情報テーブル２４ａに設定する必要はないため、Ｓ１５以下の処理はスキップされる。なお、施工対象は必ずしも「橋梁のＩ桁」、「橋梁の箱桁」、「地面」の３種類に限られるものではなく、工事現場等の施工対象に応じて適宜設定可能であり、その施工対象に応じて行われるＳ３２の処理も適宜設定可能である。
【００９３】
Ｓ２８，Ｓ３０、Ｓ３１，Ｓ３２の処理の後、ユーザーによる音源情報の入力が完了したかを確認する（Ｓ３３）。具体的には、図８（ｂ）〜（ｄ）における入力完了キー５２が選択されたかを確認する。ユーザーによる音源情報の入力が完了していない場合（Ｓ３３：Ｎｏ）、音源情報テーブル２４ａの記憶位置を１つ進める（Ｓ３４）。即ち、次のユーザからの音源情報の入力に備え、図４（ａ）の音源情報テーブル２４ａにおいて、現在の記憶位置に対応する「Ｎｏ．」から１つ進めた位置を、次の記憶位置とする。Ｓ３４の処理の後、Ｓ１１の処理を行う。一方、ユーザーによる音源情報の入力が完了した場合（Ｓ３３：Ｙｅｓ）、本処理を終了し、図５における騒音予測メイン処理へ戻る。
【００９４】
図５に戻る。Ｓ３の音源情報入力処理後、騒音レベル予測処理を実行する（Ｓ４）。図７は、騒音レベル予測処理（Ｓ４）のフローチャートである。騒音レベル予測処理は、地図画像上に騒音レベルを予測する予測地点を設定し、その予測地点毎に音源情報テーブル２４ａに記憶されている全ての工事騒音源または構造物騒音源について、騒音レベルを予測し予測騒音レベルを算出する処理である。
【００９５】
図７の騒音レベル予測処理は、まず地図画像上に等間隔の予測地点を設定し、予測地点テーブル２４ｂへ記憶する（Ｓ４１）。本実施形態においては、Ｘ座標、Ｙ座標ともに「５０．０」ずつ等間隔に予測地点を設定し、それぞれ予測地点テーブル２４ｂのＸ座標メモリ２４ｂ１とＹ座標メモリ２４ｂ２とに記憶する。
【００９６】
Ｓ４１の処理の後、まず予測地点テーブル２４ｂの先頭の要素から順に騒音レベルの算出を行うため、予測地点テーブル２４ｂの記憶位置を先頭に移動する（Ｓ４２）。具体的には、図４（ｂ）における、予測地点テーブル２４ｂの「Ｎｏ．１」の位置に移動する。次に、予測地点毎に行う騒音レベルの算出も、音源情報テーブル２４ａに記憶された音源情報順に行うため、音源情報テーブル２４ａの取得位置も先頭に移動する（Ｓ４３）。具体的には、図４（ａ）における、音源情報テーブル２４ａの「Ｎｏ．１」の位置に移動する。
【００９７】
Ｓ４３の処理の後、音源情報テーブル２４ａの音源形状メモリ２４ａ２の値を確認する。音源形状メモリ２４ａ２の値が「点音源」の場合（Ｓ４４：「点音源」）、音源情報テーブル２４ａの値と予測地点テーブル２４ｂの値とから点音源の減衰計算を行う（Ｓ４５）。
【００９８】
本実施形態において、予測地点の騒音レベルは、騒音源から発生する騒音が、予測地点ではどれだけ減衰して観測されるかを、減衰計算によって算出する。減衰計算は後述する「減衰計算式」と呼ばれる公知の計算式によって行う。本実施形態においては音源情報テーブル２４ａへ記憶された騒音レベルデータ２３ａ３２には、騒音源の騒音レベルが周波数帯データ２３ａ３１毎に記憶されている。よって、予測地点の騒音レベルは、全ての騒音源に対して、全ての周波数帯毎に騒音レベルの減衰計算を行い、その算出結果を合成することで算出する。また「減衰計算式」は、音源形状（点音源、線音源、面音源）によって異なる。
【００９９】
Ｓ４４において、音源形状メモリ２４ａ２の値が「線音源」の場合（Ｓ４４：「線音源」）、音源情報テーブル２４ａの値と予測地点テーブル２４ｂの値とから線音源の減衰計算を行う（Ｓ４６）。また、Ｓ４４において、音源形状メモリ２４ａ２の値が「面音源」の場合（Ｓ４４：「面音源」）、音源情報テーブル２４ａの値と予測地点テーブル２４ｂの値とから面音源の減衰計算を行う（Ｓ４７）。
【０１００】
なお、点音源、線音源、面音源の減衰計算式は、公知のものを使用する。点音源の減衰計算式として、以下の数式１が挙げられる。ここで、Ｌｐは予測地点での騒音レベル（即ち、予測地点テーブル２４ｂの予測騒音レベルメモリ２４ｂ３に合成する値）であり、Ｌｗは騒音源の騒音レベル（即ち、音源情報テーブル２４ａの音源メモリ２４ａ３の値）であり、ｒは騒音源と予測地点との距離（即ち、音源情報テーブル２４ａのＸ座標メモリ２４ａ６、Ｙ座標メモリ２４ａ７と、予測地点テーブル２４ｂのＸ座標メモリ２４ｂ１、Ｙ座標メモリ２４ｂ２との距離）である。
【数１】
0006650338.tif 000002
【０１０１】
線音源（有限長）の減衰計算式として、以下の数式２が挙げられる。ここで、ｒ０は予測地点と騒音源との距離であり、φは予測地点と、騒音源の始点Ｓ、終点Ｅとのなす角であり、音源情報テーブル２４ａのＸ座標メモリ２４ａ６の値とＹ座標メモリ２４ａ７の値と角度メモリ２４ａ８の値とから算出する。ＬｗとＬｐは点音源の減衰計算式と同一の値である。
【数２】
0006650338.tif 000003
【０１０２】
面音源の減衰計算式として、以下の数式３が挙げられる。まず、騒音源の単位面積当たりの出力をＷ，音速をｃ，予測地点と騒音源との垂直距離をｄ，面音源の長さ方向の範囲をｘ１〜ｘ２，面音源の高さ方向の範囲をｙ１〜ｙ２とすると、予測地点での音響エネルギ密度Ｅは次の数式３となる。
【数３】
0006650338.tif 000004
数式３の簡略化のため、ｘ１＝０、ｙ１＝０、ｘ２＝ａ、ｙ２＝ｂとし、垂直距離ｄを単位として積分だけを取り出したψを、以下の数式４で算出する。ここで、ａ，ｂは、それぞれ面音源の長さ、高さ（即ち、音源長さメモリ２４ａ４の値、音源高メモリ２４ａ５の値）である。
【数４】
0006650338.tif 000005
これより、面音源の予測地点での騒音レベルＬｐは、以下の数式５で算出する。ここで、Ｌｗは点音源及び面音源の減衰計算式と同一の値である。
【数５】
0006650338.tif 000006
【０１０３】
Ｓ４５，Ｓ４６，Ｓ４７の処理の後、予測地点と騒音源との間に壁があるか確認する（Ｓ４８）。予測地点と騒音源との間に壁がある場合（Ｓ４８：Ｙｅｓ）、壁による減衰計算を行う（Ｓ４９）。一方、予測地点と騒音源との間に壁がない場合（Ｓ４８：Ｎｏ）、Ｓ４９の処理をスキップする。なお、壁による減衰計算は公知の計算式を使用する。
【０１０４】
Ｓ４８，Ｓ４９の処理の後、Ｓ４５，Ｓ４６，Ｓ４７，Ｓ４９による、減衰計算の結果を予測地点テーブル２４ｂの予測騒音レベルメモリ２４ｂ３に合成する（Ｓ５０）。
【０１０５】
Ｓ５０の処理の後、音源情報テーブル２４ａの取得位置を１つ進める（Ｓ５１）。具体的には、図４（ａ）の音源情報テーブル２４ａにおいて、現在の取得位置に対応する「Ｎｏ．」から１つ進めた位置を、次の取得位置とする。Ｓ５１の処理の後、音源情報テーブル２４ａの取得位置が終端かどうかを確認する（Ｓ５２）。具体的には、音源情報テーブル２４ａの各メモリのうち、いずれかの値が「（ＥＮＤ）」である場合は、音源情報テーブル２４ａの取得位置が終端であると判断する。音源情報テーブル２４ａの取得位置が終端ではない場合は（Ｓ５２：Ｎｏ）、Ｓ４４の処理に戻る。一方、音源情報テーブル２４ａの取得位置が終端である場合（Ｓ５２：Ｙｅｓ）、予測地点テーブル２４ｂの記憶位置を１つ進める（Ｓ５３）。具体的には、図４（ｂ）の予測地点テーブル２４ｂにおいて、現在の記憶位置に対応する「Ｎｏ．」から１つ進めた位置を、次の記憶位置とする。
【０１０６】
Ｓ５３の処理の後、予測地点テーブル２４ｂの記憶位置が終端かどうかを確認する（Ｓ５４）。具体的には、予測地点テーブル２４ｂの各メモリのうち、いずれかの値が「（ＥＮＤ）」である場合は、予測地点テーブル２４ｂの記憶位置が終端であると判断する。予測地点テーブル２４ｂの記憶位置が終端ではない場合は（Ｓ５４：Ｎｏ）、Ｓ４３の処理に戻る。一方、予測地点テーブル２４ｂの記憶位置が終端である場合（Ｓ５４：Ｙｅｓ）、本処理を終了し、図５における騒音予測メイン処理へ戻る。
【０１０７】
図５に戻る。Ｓ４の騒音レベル予測処理の後、予測地点テーブル２４ｂの予測騒音レベルメモリ２４ｂ３の値から騒音レベルの等値線図を作成し、地図画像に合成し、これをＬＣＤ２７へ出力する（Ｓ５）。これにより、図８（ｅ）に示すような騒音の予測結果を表す画面がＬＣＤ２７へ表示される。なお、等値線図の作成は公知の方法を使用する。
【０１０８】
以上説明したように、本実施形態における騒音予測プログラムは、地図画像上に配置された複数の工具や建設機械等の騒音源（即ち、工事騒音源）に加えて、工事の施工対象が新たな騒音源（即ち、構造物騒音源）となる場合は、構造物騒音源を工事騒音源とは別の騒音源として配置する。そして、地図画像上に、等間隔に設定された予測地点を配置し、その予測地点毎に、複数の工事騒音源および構造物騒音源の全てに対して、騒音レベルを予測し、その結果の等値線図を地図画像へ重ね合わせて表示する。このように、工事騒音源から発生する騒音の周囲への伝搬量に加えて、施工対象となる鋼構造物等が騒音源になった場合の構造物騒音源から発生する騒音の周囲への伝搬量をも予測し、これらを合成した騒音量を工事の騒音として出力する。よって、鋼構造物等を対象にした工事においても、工事騒音のシミュレーションをより的確に行うことができる。
【０１０９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１０】
本実施形態において、騒音予測プログラムは橋梁工事、特にＩ桁１、箱桁２といった橋桁からの騒音を予測するものとした。しかし、必ずしもこれに限られるものではなく、例えば、鉄骨工事、鉄塔工事、石油・ガス等の貯蔵用タンク設置工事、屋外広告工事、閘門・水門等の門扉設置工事などの鋼構造物に対する工事を騒音予測の対象とするものとしてもよい。この場合は、これらの鋼構造物が工事対象（施工対象）とされた場合に発生する騒音を実測し、その実測値に基づいて、その鋼構造物がどのような音源サイズの構造物騒音源となっているのかを逆計算し、その音源長さデータと音源高データとして記憶したもの、即ち、Ｉ桁１におけるＩ桁用音源サイズテーブル２３ｂに該当するテーブルを作成する。そして、音源情報入力処理（図６参照）のＳ３２の処理において、このテーブルを参照して鋼構造物の音源サイズを取得し、騒音レベル予測処理（図７参照）における騒音レベルの算出に用いる。
【０１１１】
本実施形態においては、騒音予測プログラム２３ｘをＰＣ２０のフラッシュメモリ２３に記憶した。しかし、必ずしもこれに限られるものではなく、例えば、騒音予測プログラム２３ｘをＲＯＭ２２に記憶し、騒音予測プログラム２３ｘのみを実行する専用装置に、本発明を適応するようにしてもよい。
【０１１２】
本実施形態において、騒音予測プログラム２３ｘを利用可能な情報処理装置をＰＣ２０とした。しかし、必ずしもこれに限られるものではなく、例えば、携帯端末を騒音予測プログラムを利用可能な情報処理装置としてもよい。この場合、入力装置２８として、マウスやキーボードの代わりにタッチパネルを用いてもよい。これにより、騒音源の再配置をした場合に、その騒音源の位置による騒音レベルの予測を、その場で行うことができる。よって、周囲への騒音の伝搬を考慮した、騒音源の配置を迅速に行うことができる。
【０１１３】
本実施形態において、騒音予測プログラム２３ｘは、工事現場の周囲の多数地点について騒音量の予測計算を行って、その出力結果の等値線図を地図画像に合成して出力した。しかし、必ずしもこれに限られるものではなく、例えば、地図画像の任意点を入力装置２８で指定し、その地点での騒音レベルを「○○ｄＢ」と数値で表示するように構成してもよい。例えば、スマートフォンや処理能力の低い携帯型タブレットコンピュータで、騒音予測プログラム２３ｘを実行する場合、等値線図を作成するために、工事現場の周囲の多数地点について騒音量の予測計算を行うと、予測計算に長時間を要してしまう。かかる場合に、地図画像の任意点を入力装置２８で指定し、その地点での騒音レベルのみを予測計算するようにしても良い。該構成によれば、騒音量の予測計算をピンポイントで行うことができるので、騒音予測プログラム２３ｘを処理能力の低いコンピュータで実行する場合においても、騒音量の予測計算を短時間で完了することができる。
【０１１４】
本実施形態において、外部入出力端子２９を経由してＰＣ２０と他のコンピュータとを接続し、データを送受信する構成とした。しかし、必ずしもこれに限られるものではなく、例えば、ＬＡＮや無線ＬＡＮ経由でＰＣ２０と他のコンピュータとを接続してもよいし、インターネット経由で接続してもよい。この場合は、外部入出力端子２９の代わりに、ネットワークインターフェイスや、無線ＬＡＮインターフェイスをＰＣ２０の入出力ポート２６に接続する。
【符号の説明】
【０１１５】
２３ｘ                          騒音予測プログラム
２３ａ                          音源種類テーブル（工事騒音源記憶手段）
２４ａ                          音源情報テーブル（構造物騒音源記憶手段）
Ｓ１                            地図データ取得ステップ
Ｓ１１                          工事位置指定ステップ
Ｓ１３                          工事騒音源取得ステップ
Ｓ４５                          工事騒音予測ステップ
Ｓ２３〜Ｓ３１，Ｓ４６，Ｓ４７  構造物騒音予測ステップ
Ｓ４５〜Ｓ４７                  騒音量合成ステップ
Ｓ５                            出力ステップ
Ｓ４１                          計測位置指定ステップ
【図１】
0006650338.tif 000007
【図２】
0006650338.tif 000008
【図３】
0006650338.tif 000009
【図４】
0006650338.tif 000010
【図５】
0006650338.tif 000011
【図６】
0006650338.tif 000012
【図７】
0006650338.tif 000013
【図８】
0006650338.tif 000014